【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
第１の方向及び前記第１の方向とは異なる第２の方向にそれぞれ配列された複数の画素電極と、
前記複数の画素電極と対向配置された対向電極と、
前記複数の画素電極と前記対向電極との間に封入された液晶層と、
前記複数の画素電極にそれぞれ接続された複数の画素トランジスタと、
前記第１の方向に沿って配設された複数の第１の座標検知配線と、
前記第２の方向に沿って配設された複数の第２の座標検知配線と、
前記複数の画素用トランジスタに表示信号を供給する前記第２の方向に沿って配設された複数の信号線と、
それぞれ第１の接点を有し、前記複数の第１の座標検知配線にそれぞれ接続され、外部からの押圧を受けて前記第１の接点が前記対向電極に接触することにより前記対向電極と前記第１の座標検知配線とを導通させる複数の第１の座標検知部と、
それぞれ第２の接点を有し、前記複数の第２の座標検知配線にそれぞれ接続され、前記外部からの前記押圧を受けて前記第２の接点が前記対向電極に接触することにより当該対向電極と前記第２の座標検知配線とを導通させる複数の第２の座標検知部と、
を具備し、
前記第２の座標検知配線は、前記複数の画素電極のうち、前記第１の方向に連続して配列された第１の画素電極、第２の画素電極、第３の画素電極及び第４の画素電極における、前記第２の画素電極と前記第３の画素電極との間に配設され、
前記信号線は、前記第１の画素電極と前記第２の画素電極との間、前記第３の画素電極と前記第４の画素電極との間、のうちの一方の間に２本配設され、
前記第２の画素電極と前記第３の画素電極とには、前記画素トランジスタが前記第２の座標検知配線を挟んで前記第２の座標検知配線から離れる側に配置されてそれぞれ接続され、
前記第１の座標検知部及び前記第２の座標検知部は、前記第２の画素電極に接続された前記画素トランジスタと前記第３の画素電極に接続された前記画素トランジスタとの間に配置される、
ことを特徴とする液晶表示装置。
【請求項２】
前記第１の座標検知部と前記第２の座標検知部とは、一対で配置されていることを特徴とする請求項１に記載の液晶表示装置。
【請求項３】
前記第２の画素電極に接続された前記画素トランジスタと前記第３の画素電極に接続された前記画素トランジスタとの前記第１の方向の間隔は、前記一対の前記第１の座標検知部及び前記第２の座標検知部の前記第１の方向の長さよりも長いことを特徴とする請求項２に記載の液晶表示装置。
【請求項４】
前記一対の前記第１の座標検知部及び前記第２の座標検知部は、前記第１の座標検知配線上に配置されていることを特徴とする請求項２又は３に記載の液晶表示装置。
【請求項５】
前記複数の画素トランジスタに走査信号を供給する前記第１の方向に沿って配設された複数の走査線をさらに備え、
前記走査線は、前記画素電極と前記第１の座標検知配線の間に配置され、前記第１の座標検知配線に向かって前記走査線から張り出した張出部を有し、
前記画素トランジスタは、前記張出部がゲート電極になっていることを特徴とする請求項１乃至４の何れか１項に記載の液晶表示装置。
【請求項６】
前記複数の第１の座標検知部と前記対向電極との間隔及び前記複数の第２の座標検知部と前記対向電極との間隔をそれぞれ保持するスペーサと、前記押圧を受けていないときの前記第１の接点及び前記第２の接点と前記対向電極との間隔を予め設定された接点間隔に設定する複数の土台部と、をさらに備え、
前記第２の座標検知配線は、前記複数の画素電極のうち、前記第１の方向に連続して配列された第５の画素電極、第６の画素電極、第７の画素電極及び第８の画素電極における、前記第６の画素電極と前記第７の画素電極との間に配設され、
前記信号線は、前記第５の画素電極と前記第６の画素電極との間、前記第７の画素電極と前記第８の画素電極との間、のうちの一方の間に２本配設され、
前記第６の画素電極と前記第７の画素電極とには、前記画素トランジスタが前記第２の座標検知配線を挟んで前記第２の座標検知配線から離れる側に配置されてそれぞれ接続され、
前記土台部は、前記第６の画素電極に接続された前記画素トランジスタと前記第７の画素電極に接続された前記画素トランジスタとの間に配置されていることを特徴とする請求項１乃至５の何れか１項に記載の液晶表示装置。
【請求項７】
前記第６の画素電極に接続された前記画素トランジスタと前記第７の画素電極に接続された前記画素トランジスタとの前記第１の方向の間隔は、前記土台部の前記第１の方向の長さよりも長いことを特徴とする請求項６に記載の液晶表示装置。
【請求項８】
前記土台部は、前記第１の座標検知配線上に配置されていることを特徴とする請求項６又は７に記載の液晶表示装置。
【請求項９】
前記複数の信号線と前記複数の第２の座標検知配線とは、前記複数の画素電極のうち、前記第１の方向に連続して配列された前記画素電極の連続した複数の間に、１本の前記信号線と１本の前記第２の座標検知配線と２本の前記信号線とが配置された配置順序、又は、２本の前記信号線と１本の前記第２の座標検知配線と１本の前記信号線とが配置された配置順序、で繰り返し配設されていることを特徴とする請求項６乃至８の何れか１項に記載の液晶表示装置。
【請求項１０】
前記複数の第１の座標検知部及び前記複数の第２の座標検知部は、それぞれ一対であって前記第１の方向に沿って形成され、前記第１の座標検知配線と前記第２の座標検知配線との交差部分上で、前記第１の方向に沿った行に２つの前記交差部分毎に配置され、且つ、前記第２の方向に隣接する行毎に前記第１の方向に１つの前記交差部分だけずらして配置され、
前記複数の土台部は、前記第１の方向に沿って形成され、前記複数の第１の座標検知部及び前記複数の第２の座標検知部が配置された領域以外の前記交差部分上に配置されていることを特徴とする請求項９に記載の液晶表示装置。
【請求項１１】
前記複数の第１の座標検知部及び前記複数の第２の座標検知部は、それぞれ前記押圧を受けたときに前記対向電極に生じる湾曲の量が最大となるところに配置されていることを特徴とする請求項１０に記載の液晶表示装置。
【請求項１２】
第１の方向及び前記第１の方向とは異なる第２の方向にそれぞれ配列された複数の画素電極と、
前記複数の画素電極と対向配置された対向電極と、
前記複数の画素電極にそれぞれ接続された複数の画素トランジスタと、
前記第１の方向に沿って配設された複数の第１の座標検知配線と、
前記第２の方向に沿って配設された複数の第２の座標検知配線と、
前記複数の画素トランジスタに表示信号を供給する前記第２の方向に沿って配設された複数の信号線と、
それぞれ第１の接点を有し、前記複数の第１の座標検知配線にそれぞれ接続され、外部からの押圧を受けて前記第１の接点が前記対向電極に接触することにより前記対向電極と前記第１の座標検知配線とを導通させる複数の第１の座標検知部と、
それぞれ第２の接点を有し、前記複数の第２の座標検知配線にそれぞれ接続され、前記外部からの前記押圧を受けて前記第２の接点が前記対向電極に接触することにより前記対向電極と前記第２の座標検知配線とを導通させる複数の第２の座標検知部と、
前記複数の第１の座標検知部と前記対向電極との間隔及び前記複数の第２の座標検知部と前記対向電極との間隔をそれぞれ保持するスペーサを有し、前記押圧を受けていないときの前記第１の接点及び前記第２の接点と前記対向電極との間隔を予め設定された接点間隔に設定する複数の土台部と、
を具備し、
前記第２の座標検知配線は、前記複数の画素電極のうち、前記第１の方向に連続して配列された第１の画素電極、第２の画素電極、第３の画素電極及び第４の画素電極における、前記第２の画素電極と前記第３の画素電極との間に配設され、
前記信号線は、前記第１の画素電極と前記第２の画素電極との間、前記第３の画素電極と前記第４の画素電極との間、のうちの一方の間に２本配設されるとともに他方の間に１本配設され、
前記第２の画素電極と前記第３の画素電極とには、前記画素トランジスタが前記第２の座標検知配線を挟んで前記第２の座標検知配線から離れる側に配置されてそれぞれ接続され、
前記土台部、又は、前記第１の座標検知部及び前記第２の座標検知部は、前記第２の画素電極に接続された前記画素トランジスタと前記第３の画素電極に接続された前記画素トランジスタとの間に配置されていることを特徴とする液晶表示装置。
【請求項１３】
前記第２の画素電極に接続された前記画素トランジスタと前記第３の画素電極に接続された前記画素トランジスタとの前記第１の方向の間隔は、前記第１の座標検知部及び前記第２の座標検知部の前記第１の方向の長さよりも長く、前記土台部の前記第１の方向の長さよりも長いことを特徴とする請求項１２に記載の液晶表示装置。
【手続補正２】
【補正対象書類名】明細書
【補正対象項目名】００１２
【補正方法】変更
【補正の内容】
【００１２】
本発明の主要な局面に係る液晶表示装置は、第１の方向及び前記第１の方向とは異なる第２の方向にそれぞれ配列された複数の画素電極と、前記複数の画素電極と対向配置された対向電極と、前記複数の画素電極と前記対向電極との間に封入された液晶層と、前記複数の画素電極にそれぞれ接続された複数の画素トランジスタと、前記第１の方向に沿って配設された複数の第１の座標検知配線と、前記第２の方向に沿って配設された複数の第２の座標検知配線と、前記複数の画素用トランジスタに表示信号を供給する前記第２の方向に沿って配設された複数の信号線と、それぞれ第１の接点を有し、前記複数の第１の座標検知配線にそれぞれ接続され、外部からの押圧を受けて前記第１の接点が前記対向電極に接触することにより前記対向電極と前記第１の座標検知配線とを導通させる複数の第１の座標検知部と、それぞれ第２の接点を有し、前記複数の第２の座標検知配線にそれぞれ接続され、前記外部からの前記押圧を受けて前記第２の接点が前記対向電極に接触することにより当該対向電極と前記第２の座標検知配線とを導通させる複数の第２の座標検知部と、を具備し、前記第２の座標検知配線は、前記複数の画素電極のうち、前記第１の方向に連続して配列された第１の画素電極、第２の画素電極、第３の画素電極及び第４の画素電極における、前記第２の画素電極と前記第３の画素電極との間に配設され、前記信号線は、前記第１の画素電極と前記第２の画素電極との間、前記第３の画素電極と前記第４の画素電極との間、のうちの一方の間に２本配設され、前記第２の画素電極と前記第３の画素電極とには、前記画素トランジスタが前記第２の座標検知配線を挟んで前記第２の座標検知配線から離れる側に配置されてそれぞれ接続され、前記第１の座標検知部及び前記第２の座標検知部は、前記第２の画素電極に接続された前記画素トランジスタと前記第３の画素電極に接続された前記画素トランジスタとの間に配置される液晶表示装置である。
【手続補正３】
【補正対象書類名】図面
【補正対象項目名】図６
【補正方法】変更
【補正の内容】
【図６】
2012137562.tif 000001
【手続補正４】
【補正対象書類名】図面
【補正対象項目名】図１１
【補正方法】変更
【補正の内容】
【図１１】
2012137562.tif 000002